(57)【特許請求の範囲】
【請求項１】
筐体の内部と外部のうち前記内部に少なくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記ソース機器の接続を検出し、接続検出信号を前記デジタルインターフェースを通じて前記ソース機器へ出力する接続検出部を備えた制御装置と、
を具備し、
前記筐体の内部に配置された前記ソース機器は、取得可能な少なくとも一つの通信用アドレスの候補が記憶された通信用アドレス候補メモリと、前記制御装置からの前記接続検出信号を受信すると、前記通信用アドレス候補メモリから所定の順序で読み出した一つの通信用アドレスの候補を用いて通信用アドレス取得動作をポーリングで行い、決定した通信用アドレスを物理アドレスとともに、前記デジタルインターフェースを通じて前記制御装置へ通知する通信用アドレス取得ユニットと、を備え、
前記制御装置は、
前記筐体の内部に配置された前記ソース機器が、前記通信用アドレスの取得完了のコマンドに基づいて、通信用アドレスを取得できたかどうかを確認し、前記筐体の内部に配置された前記ソース機器が通信用アドレスを取得できていない場合は、その旨を外部が認識可能となるように通知することを特徴とする映像・音声処理装置。
【請求項２】
前記制御装置は、
前記筐体の内部に配置された前記ソース機器が、前記通信用アドレスの取得完了のコマンドに基づいて、通信用アドレスを取得できたかどうかを確認し、前記筐体の内部に配置された前記ソース機器が通信用アドレスを取得できていない場合は、前記外部接続されるソース機器へ出力している接続検出信号をオフし、前記外部接続されるソース機器の接続状態をアクティブな状態から非アクティブ状態へ変化させるとともに、その旨を外部が認識可能となるように通知することを特徴とする請求項１記載の映像・音声処理装置。
【請求項３】
前記筐体は、前記ソース機器により送信される映像を表示するディスプレイをさらに備え、
前記制御装置は、前記筐体の内部に配置された前記ソース機器が通信用アドレスを取得できていない場合は、その旨を外部が認識可能となるように前記ディスプレイに表示することを特徴とする請求項１記載の映像・音声処理装置。
【請求項４】
前記筐体は、前記ソース機器により送信される音声を出力するスピーカをさらに備え、
前記制御装置は、前記筐体の内部に配置された前記ソース機器が通信用アドレスを取得できていない場合は、その旨を外部が認識可能となるように前記スピーカから音声で出力することを特徴とする請求項１記載の映像・音声処理装置。
【請求項５】
前記筐体の内部に配置された前記ソース機器は、前記通信用アドレスを取得すると、通信用アドレスを取得した旨を前記制御装置へ通知し、
前記制御装置は、前記筐体の内部に配置された前記ソース機器からの前記通知に基づいて、前記筐体の内部に配置された前記ソース機器が通信用アドレスを取得できたかどうかを確認することを特徴とする請求項１ないし請求項４のいずれか１項記載の映像・音声処理装置。
【請求項６】
前記制御装置は、
前記筐体の内部に配置された前記ソース機器が取得可能な通信用アドレスの候補が記憶された第２のメモリをさらに具備し、
前記外部接続されるソース機器から通知される前記通信用アドレス、および前記第２のメモリに記憶されている前記通信用アドレスの候補とに基づいて、前記筐体の内部に配置された前記ソース機器が通信用アドレスを取得できたかどうかを確認することを特徴とする請求項１ないし請求項４のいずれか１項記載の映像・音声処理装置。
【請求項７】
筐体の内部と外部のうち前記内部に少なくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記ソース機器の接続を検出し、接続検出信号を前記デジタルインターフェースを通じて前記ソース機器へ出力する接続検出部を備えた制御装置と、を具備する映像・音声処理装置による映像・音声処理方法であって、
前記筐体の内部に配置された前記ソース機器は、
取得可能な少なくとも一つの通信用アドレスの候補が記憶された通信用アドレス候補メモリから所定の順序で読み出した一つの通信用アドレスの候補を用いて通信用アドレス取得動作をポーリングで行い、決定した通信用アドレスを物理アドレスとともに、前記デジタルインターフェースを通じて前記制御装置へ通知し、
前記制御装置は、
前記筐体の内部に配置された前記ソース機器が、前記通信用アドレスの取得完了のコマンドに基づいて、通信用アドレスを取得できたかどうかを確認し、前記筐体の内部に配置された前記ソース機器が通信用アドレスを取得できていない場合は、その旨を外部が認識可能となるように通知することを特徴とする映像・音声処理方法。
【請求項８】
前記制御装置は、
前記筐体の内部に配置された前記ソース機器が、前記通信用アドレスの取得完了のコマンドに基づいて、通信用アドレスを取得できたかどうかを確認し、前記筐体の内部に配置された前記ソース機器が通信用アドレスを取得できていない場合は、前記外部接続されるソース機器へ出力している接続検出信号をオフし、前記外部接続されるソース機器の接続状態をアクティブな状態から非アクティブ状態へ変化させるとともに、その旨を外部が認識可能となるように通知することを特徴とする請求項７記載の映像・音声処理方法。
【発明の詳細な説明】
【技術分野】
【０００１】
本発明は、映像・音声などの信号を処理するデジタルインターフェースを有する映像・音声処理装置及び映像・音声処理方法に関する。
【背景技術】
【０００２】
近年、映像・音声処理装置としてのテレビジョン受信機は高機能化され、映像・音声の信号と制御信号とを一つのケーブルで送受信できるデジタルインターフェース、例えばHigh-Definition Multimedia Interface入力端子（ＨＤＭＩ入力端子等）を備えたものが商品化されている。なお、High-Definition Multimedia InterfaceおよびＨＤＭＩは登録商標である。
【０００３】
ＨＤＭＩケーブルには、例えばベンダーが独自に設定した機能を動作させるためのコマンドを機器間でやりとりするためにＣＥＣ（Consumer Electronics Control）制御線が通常１本（１ｃｈ）設けられている。このＨＤＭＩ−ＣＥＣ制御線では、テレビジョン受信機に設けられたＨＤＭＩ端子にレコーダやプレーヤ等のソース機器が接続されたときに、テレビジョン受信機とソース機器間でコマンドをやりとりして通信用のアドレスをソース機器に取得させることで、その後、そのアドレスをテレビジョン受信機から指定してソース機器の機能制御を行うことができる。
【０００４】
従来の映像・音声処理装置には、上記ＨＤＭＩ端子を複数設けたものがある。この映像・音声処理装置では、ＨＤＭＩ端子を複数設けることにより、種々のソース機器、例えば、ＤＶＤレコーダやＢＤレコーダ等を接続して家庭内ネットワークを構築することができる。しかし、映像・音声処理装置に接続されるソース機器が多くなると、何のソース機器が接続されているのかをユーザが認識できないことや、ソース機器の接続状況がユーザの認識と一致しなくなる可能性がある。
【０００５】
そこで、映像・音声処理装置へのソース機器の接続状況を確認にするために、ソース機器が接続されているかどうかを確認する確認コマンドを送信し、この確認コマンドに対する応答があるか否かを判定するものがある（例えば特許文献１参照）。
【先行技術文献】
【特許文献】
【０００６】
【特許文献１】特開２００８−２５２４５２号公報
【発明の概要】
【発明が解決しようとする課題】
【０００７】
特許文献１に開示された発明の場合、確認コマンドに対する応答があればソース機器が接続されていると判定し、確認コマンドに対する応答がなければソース機器が接続されていないと判定している。しかしこの方法では、映像・音声処理装置がソース機器に対してコマンドを送信する必要があり、映像・音声処理装置側における処理負荷が増大してしまう。
【０００８】
また、近年では、ソース機器を内蔵した映像・音声処理装置も商品化されているが、映像・音声処理装置に複数のソース機器が接続されている場合、内蔵ソース機器が論理アドレスを取得できない可能性がある。上記特許文献１に開示された発明では、このような特定のソース機器が論理アドレスを取得できない場合については考慮されておらず、特定のソース機器が論理アドレスを取得できなかった場合、ユーザは、この特定のソース機器を使用できないという問題がある。
【０００９】
本発明はこのような課題を解決するためになされたもので、ＨＤＭＩに複数のソース機器が接続される構成の映像・音声処理装置において、ＨＤＭＩ−ＣＥＣ制御線を利用して、映像・音声処理装置側における処理負荷を抑制できる映像・音声処理装置および映像・音声処理方法を提供することを目的とする。
【課題を解決するための手段】
【００１０】
本発明の一実施形態に係る映像・音声処理装置は、筐体の内部と外部のうち前記内部に少なくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記ソース機器の接続を検出し、接続検出信号を前記デジタルインターフェースを通じて前記ソース機器へ出力する接続検出部を備えた制御装置と、を具備し、前記筐体の内部に配置された前記ソース機器は、取得可能な少なくとも一つの通信用アドレスの候補が記憶された通信用アドレス候補メモリと、前記制御装置からの前記接続検出信号を受信すると、前記通信用アドレス候補メモリから所定の順序で読み出した一つの通信用アドレスの候補を用いて通信用アドレス取得動作をポーリングで行い、決定した通信用アドレスを物理アドレスとともに、前記デジタルインターフェースを通じて前記制御装置へ通知する通信用アドレス取得ユニットと、を備え、前記制御装置は、前記筐体の内部に配置された前記ソース機器が、前記通信用アドレスの取得完了のコマンドに基づいて、通信用アドレスを取得できたかどうかを確認し、前記筐体の内部に配置された前記ソース機器が通信用アドレスを取得できていない場合は、その旨を外部が認識可能となるように通知する。
【００１１】
本発明の一実施形態に係る映像・音声処理方法は、筐体の内部と外部のうち前記内部に少なくとも１つ配置され、映像・音声を処理するソース機器と、前記筐体に設けられ、外部接続されるソース機器が着脱可能な端子と、前記端子と前記筐体の内部の前記ソース機器にデジタルインターフェースを介して接続され、前記ソース機器の接続を検出し、接続検出信号を前記デジタルインターフェースを通じて前記ソース機器へ出力する接続検出部を備えた制御装置と、を具備する映像・音声処理装置による映像・音声処理方法であって、前記筐体の内部に配置された前記ソース機器は、取得可能な少なくとも一つの通信用アドレスの候補が記憶された通信用アドレス候補メモリから所定の順序で読み出した一つの通信用アドレスの候補を用いて通信用アドレス取得動作をポーリングで行い、決定した通信用アドレスを物理アドレスとともに、前記デジタルインターフェースを通じて前記制御装置へ通知し、前記制御装置は、前記筐体の内部に配置された前記ソース機器が、前記通信用アドレスの取得完了のコマンドに基づいて、通信用アドレスを取得できたかどうかを確認し、前記筐体の内部に配置された前記ソース機器が通信用アドレスを取得できていない場合は、その旨を外部が認識可能となるように通知する。
【発明の効果】
【００１２】
本発明によれば、ＨＤＭＩに複数のソース機器が接続される構成の映像・音声処理装置において、ＨＤＭＩ−ＣＥＣ制御線を利用して、映像・音声処理装置側における処理負荷を抑制できる映像・音声処理装置および映像・音声処理方法を提供できる。
【図面の簡単な説明】
【００１３】
【図１】本発明の一実施形態のＢＤプレーヤ内蔵ＴＶの構成を示す図である。
【図２】本発明の一実施形態の外部ソース機器の構成を示す図である。
【図３】ＢＤプレーヤ内蔵ＴＶの動作を示すフローチャートである。
【図４】ＢＤプレーヤ内蔵ＴＶの動作を示すフローチャートである。
【発明を実施するための形態】
【００１４】
以下、図面を参照して、本発明の映像・音声処理装置の一つの実施形態であるブルーレイディスクプレーヤ内蔵テレビジョン装置（以下「ＢＤプレーヤ内蔵ＴＶ」と称す）を詳細に説明する。図１はＢＤプレーヤ内蔵ＴＶの構成を示す図である。なお、ブルーレイおよびブルーレイディスクは登録商標である。
【００１５】
図１に示すように、この実施形態のＢＤプレーヤ内蔵ＴＶは、映像表示用のディスプレイ４０およびスピーカ４１などの出力部を備え、ディスプレイ４０およびスピーカ４１に出力する情報を生成する機能部品を収容したＴＶ筐体１と、このＴＶ筐体１に設けられた外部入力用のＨＤＭＩ端子１１〜１３と電源ユニット１０とを有している。
【００１６】
外部入力用のＨＤＭＩ端子１１〜１３には、複数の外部ソース機器（例えばＢＤプレーヤ、ＤＶＤプレーヤ、ＡＶアンプ、レコーダ、ＡＶセレクタ…等）４〜６が汎用のＨＤＭＩケーブル７〜９を介して着脱自在に接続される。
【００１７】
図２（ａ）〜（ｃ）は、各外部ソース機器４〜６の内部構成を示す図である。図２（ａ）に示すように、外部ソース機器４は、メモリ４１と、通信用アドレス取得ユニットとしてのＣＥＣ制御ユニット４２と、デジタル映像・音声信号の送信機としてのＨＤＭＩトランスミッタ４３を有する。
【００１８】
また、図２（ｂ）に示すように、外部ソース機器５は、メモリ５１と、通信用アドレス取得ユニットとしてのＣＥＣ制御ユニット５２と、デジタル映像・音声信号の送信機としてのＨＤＭＩトランスミッタ５３を有する。さらに図２（ｃ）に示すように、外部ソース機器６は、メモリ６１と、通信用アドレス取得ユニットとしてのＣＥＣ制御ユニット６２と、デジタル映像・音声信号の送信機としてのＨＤＭＩトランスミッタ６３を有する。
【００１９】
なお、メモリ４１，５１，６１は、電源供給されなくなった場合も保持可能な例えばＥＥＰＲＯＭなどにより実現されている。メモリ４１，５１，６１には、各外部ソース機器４〜６が取得可能な少なくとも一つの論理アドレスの候補が予め記憶されている。また、メモリ４１，５１，６１には、決定した通信用アドレス（物理アドレスと論理アドレスの対）が保持される。
【００２０】
電源ユニット１０は、ＴＶ筐体１から引き出されたＡＣコンセントが、家庭の壁コンセントなどの商用電源に差し込まれ、電源ユニット１０に一次電源（交流１００Ｖ）が供給されると、一次電源（ＡＣ１００Ｖ）をＡＣ／ＤＣ変換して動作用の電力（直流＋１２Ｖ、＋５Ｖ等）をＢＤユニット２およびＴＶユニット３へ供給する。
【００２１】
ＢＤユニット２は、内部ソース機器（例えばＢＤプレーヤ、ＤＶＤプレーヤ、レコーダ）であり、メモリ２１と、通信用アドレス取得ユニットとしてのＣＥＣ制御ユニット２２と、デジタル映像・音声信号の送信機としてのＨＤＭＩトランスミッタ２３を有する。
【００２２】
メモリ２１は、電源供給されなくなった場合も保持可能な例えばＥＥＰＲＯＭなどにより実現されている。メモリ２１には、このＢＤユニット２が取得可能な少なくとも一つの論理アドレスの候補が予め記憶されている。また、メモリ２１には、決定した通信用アドレス（物理アドレスと論理アドレスの対）が保持される。
【００２３】
ＴＶ筐体１内には、外部入力用のＨＤＭＩ端子１１〜１３およびＢＤユニット２から内部配線用のＨＤＭＩ信号線１５〜１８が配線されている。ＨＤＭＩ信号線１５〜１８は、それぞれデジタル映像・音声信号の受信機としてのＨＤＭＩレシーバ３１〜３４と接続される。さらに、ＴＶ筐体１内には、外部入力用のＨＤＭＩ端子１１〜１３およびＢＤユニット２からＣＥＣ制御線１４が配線される。ＣＥＣ制御線１４は、物理的に一本の線にまとめられＣＥＣ制御部３５へ接続される。
【００２４】
ＨＤＭＩ信号線１５〜１８内には、例えば、ホットプラグ検出線（以下ＨＰＤ線と称す）、＋５Ｖ電源線１６、映像・音声のデータ線等がある。また、ＨＤＭＩ−ＣＥＣ制御線１４には、外部ソース機器４〜６と内蔵ソース機器（ＢＤユニット２）とが物理的に共通（１本の配線を４つに分岐させた状態）で接続されている。このＨＤＭＩ−ＣＥＣ制御線１４を利用してコマンドをやりとりすることで、内外に接続されたソース機器の動作制御、切り替え制御等を行える。
【００２５】
コマンドとしては、例えば個々のベンダーで個別の機能制御などに利用するためのベンダーコマンド、デッキコントロールコマンド、アクティブソースコマンドなどがある。ベンダーコマンドおよびデッキコントロールコマンドはダイレクトコマンドであり、宛先を特定したコマンドである。デッキコントロールコマンドは、機器を個別の機器から制御するためのコマンドであり、例えばＴＶ側のリモコンからＢＤユニット２へのディスク再生、停止など、ボタン操作に応じた動作を行わせるためのコマンドである。
【００２６】
ＴＶユニット３は、ＨＤＭＩレシーバ３１〜３４、ＣＥＣ制御ユニット３５、メモリ３６、システム制御ユニット３７、ＴＶチューナー３８、映像・音声処理ユニット３９、ディスプレイ４０、スピーカ４１などを有している。なお、ＨＤＭＩレシーバ３１〜３４、ＣＥＣ制御ユニット３５、メモリ３６、システム制御ユニット３７は、制御装置を構成する。
【００２７】
ＴＶチューナー３８は、アンテナから入力されたテレビジョン放送を受信し、受信された番組の映像・音声を映像・音声処理ユニット３９に出力する。ＴＶチューナー３８はデジタルおよびアナログいずれの場合もある。また複数実装されている場合もある。
【００２８】
映像・音声処理ユニット３９は、ＴＶチューナー３８から入力される映像・音声のデジタルデータまたはアナログ信号とＨＤＭＩレシーバ３１〜３４を介して、ＢＤユニットおよび外部ソース機器４〜６から入力される映像・音声のデジタルデータを再生する。なお、ＢＤユニットおよび外部ソース機器４〜６から入力される映像・音声のデジタルデータは、システム制御ユニット３７により制御されて、ＴＶチューナー３８とＨＤＭＩレシーバ３１〜３４からそれぞれ入力されるデータまたは信号を切り替えてディスプレイ４０およびスピーカ４１へ出力する。なお、システム制御ユニット３７は、一定時間（例えば一分間）を計測するタイマを内蔵する。マルチ画面表示機能を有する場合、映像・音声処理ユニット３９は、分割した複数の画面にそれぞれの映像ソースを表示するよう再生処理する。
【００２９】
ディスプレイ４０は、映像・音声処理ユニット３９により再生処理された映像を画面に表示する。スピーカ４１は、映像・音声処理ユニット３９により再生処理された音声を出力する。
【００３０】
ＨＤＭＩレシーバ３１は、上述したように、デジタル映像・音声信号の受信機として機能し、ＢＤユニット２（内蔵ソース機器）から送信されるデジタル映像・音声信号を受信する。また、ＨＤＭＩレシーバ３１は、ＢＤユニット２の接続を検出し、接続が検出されたＢＤユニット２に対するＨＰＤ信号をde-assert（停止状態）からAsserted（アクティブな状態）へ変化させるホットプラグ検出部として機能する。なお、ＨＤＭＩレシーバ３１の物理アドレス（Physical Address）は、（１．０．０．０）に設定されている。    
【００３１】
ＨＤＭＩレシーバ３２〜３４は、上述したように、デジタル映像・音声信号の受信機として機能し、外部ソース機器４〜６から送信されるデジタル映像・音声信号をそれぞれ受信する。また、ＨＤＭＩレシーバ３２〜３４は、それぞれ外部ソース機器４〜６の接続を検出し、接続が検出された外部ソース機器４〜６に対するＨＰＤ信号をde-assert（停止状態）からAsserted（アクティブな状態）へ変化させるホットプラグ検出部として機能する。なお、ＨＤＭＩレシーバ３２〜３４の物理アドレスは、それぞれ（２．０．０．０）、（３．０．０．０）、（４．０．０．０）に設定されている。
【００３２】
メモリ３６には、各ソース機器が取得可能な論理アドレス「０」〜「１５」および各ＨＤＭＩレシーバの物理アドレス（１．０．０．０），（２．０．０．０），（３．０．０．０），（４．０．０．０）、所定のソース機器の物理アドレス（この実施例ではＢＤユニット２、外部ソース機器４〜６）の物理アドレス等が予め記憶されている。
【００３３】
つまり、メモリ３６には、物理アドレスの付与の元となるＨＤＭＩのポートの情報が記憶されている。ポートの情報は、例えばＨＤＭＩケーブル１５〜１８が接続されるポートの物理アドレスとして（１．０．０．０），（２．０．０．０），（３．０．０．０），（４．０．０．０）が設定されている。各ソース機器には、接続時にＨＤＭＩのポートに応じた物理アドレスが割り当てられて付与される。
【００３４】
接続時に各ソース機器に付与される物理アドレスは機器固有のものではなく、当該機器の接続位置（接続ポート）に応じて制御装置３０のＣＥＣ制御ユニット３５が決定し、各ソース機器へ付与する。
【００３５】
ＣＥＣ制御ユニット３５は、共通の制御線であるＨＤＭＩ−ＣＥＣ制御線１４を通じて各ソース機器（ＢＤユニット２および外部ソース機器４〜６）から受信されたアドレス決定通知に含まれる通信用アドレスを抽出し、通信用アドレスのメモリ３６に記憶する。それ以降、ＣＥＣ制御ユニット３５は、メモリ３６に記憶した通信用アドレスを用いてソース機器に対する通信制御を行う。
【００３６】
なお、ＨＤＭＩ−ＣＥＣ規格では、接続機器に割り当てられる論理アドレスがデバイスタイプ毎に決められており、この例のようにＢＤユニット２などではデバイスタイプが「Playback Device」であり、この場合、論理アドレスとして「４」と「８」と「１１」が取得可能である。この例では、これら３つのアドレス「４」，「８」，「１１」がメモリ２１に記憶されているものとする。
【００３７】
ＣＥＣ制御ユニット２２は、ＨＰＤ信号がアクティブな状態に変化すると、メモリ２１から一定の順序で一つの通信用の論理アドレスの候補（例えば「４」など）を読み出し、それらのアドレスを含めたアドレス取得要求のポーリング動作を、ＨＤＭＩ信号線１５を通じて行う。一定の順序とは、例えば小さい値から大きな値、または大きい値から小さな値といった順序である。
【００３８】
他のソース機器（例えばＤＶＤプレーヤ４等）から、候補の論理アドレスが使用中である旨の応答（ACK）が受信されなかった場合、ＣＥＣ制御ユニット２２は、その候補を通信用の論理アドレスとして決定し、決定した論理アドレスと物理アドレスを含む通信用アドレスをアドレス決定通知に含ませて、ＨＤＭＩ−ＣＥＣ制御線１４を通じてＣＥＣ制御ユニット３５へ送信する。
【００３９】
また、外部ソース機器４が有するＣＥＣ制御ユニット４２は、それぞれＨＰＤ信号がアクティブな状態に変化すると、メモリ４１から、一定の順序で一つの通信用の論理アドレスの候補とを読み出し、それらのアドレスを含めたアドレス取得要求のポーリング動作を、ＨＤＭＩ信号線１６を通じて行う。
【００４０】
他のソース機器から、候補の論理アドレスが使用中である旨の応答（ACK）が受信されなかった場合、ＣＥＣ制御ユニット４２は、その候補を通信用の論理アドレスとして決定し、決定した論理アドレスと物理アドレスを含む通信用アドレスをアドレス決定通知に含ませて、ＨＤＭＩ−ＣＥＣ制御線１４を通じてＣＥＣ制御ユニット３５へ送信する。
【００４１】
すなわち、ＣＥＣ制御ユニット２２，４２は、ＨＰＤ信号がde-assertからAssertedに変化すると、それぞれメモリ２１，４１から通信用アドレスの候補を一つずつ読み出し、通信用アドレスの候補を用いて通信用アドレス取得処理をポーリングで行い、決定した通信用アドレスを、ＨＤＭＩ−ＣＥＣ制御線１４を通じてＣＥＣ制御ユニット３５へ通知する。なお、外部ソース機器５，６による論理アドレスの取得動作は、外部ソース機器４と同じであるため重複した説明を省略する。
【００４２】
（第１の動作例）
次に、図３を参照して、この実施形態のＢＤプレーヤ内蔵ＴＶの第１の動作例を説明する。図３（ａ）は、ＴＶユニット３側の動作を、図３（ｂ）は、ＢＤユニット２側の動作をそれぞれ示している。
【００４３】
（ＴＶユニット３側の動作）
初めに、図３（ａ）を参照して、ＴＶユニット３側の動作について説明する。
ＴＶ筐体１から引き出されたＡＣコンセントが差し込まれ、電源ユニット１０にＡＣ１００Ｖ（一次電源）が供給されると、電源ユニット１０からＴＶユニット３へ駆動用の電力が供給される（ステップＳ１０１）。
【００４４】
システム制御ユニット３７は、ＨＤＭＩ信号線１５内のＨＰＤ信号がde-assertからAssertedに変化、つまりＨＤＭＩレシーバ３１におけるＢＤユニット２の接続状態がAssertedに変化すると、内蔵するタイマを起動して一定時間（例えば一分間）をカウントする（ステップＳ１０２）。
【００４５】
システム制御ユニット３７は、一定時間が経過すると（ステップＳ１０２のＹｅｓ）、ＢＤユニット２のＣＥＣ制御ユニット２２が通信用の論理アドレスを取得したかどうかを確認する（ステップＳ１０３）。ＢＤユニット２のＣＥＣ制御ユニット２２が通信用の論理アドレスを取得していない場合（ステップＳ１０３のＮｏ）、システム制御ユニット３７は、映像・音声処理ユニット３９に、ＢＤユニット２との接続が確立されていない旨を表示するように指示する。映像・音声処理ユニット３９は、システム制御ユニット３７からの指示に基づいて、ディスプレイ４０へ、ＢＤユニット２との接続が確立されていない旨を表示する（ステップＳ１０４）。
【００４６】
（ＢＤユニット２側の動作）
次に、図３（ｂ）を参照して、ＢＤユニット２側の動作について説明する。
ＴＶ筐体１から引き出されたＡＣコンセントが差し込まれ、電源ユニット１０にＡＣ１００Ｖ（一次電源）が供給されると、電源ユニット１０からＢＤユニット２へ駆動用の電力が供給される（ステップＳ２０１）。
【００４７】
ＣＥＣ制御ユニット２２は、電源が供給されると、ＴＶユニット３のＨＤＭＩレシーバ３１からＨＤＭＩ信号線を介して入力されるＨＰＤ信号がAsserted（アクティブな状態）になるのを待機する（ステップＳ２０２）。
【００４８】
ＣＥＣ制御ユニット２２は、ＨＰＤ信号がde-assert（非アクティブ状態）からAsserted（アクティブな状態）へ変化すると（ステップＳ２０２のＹｅｓ）、通信用の論理アドレスを取得する動作を開始する。具体的には、ＣＥＣ制御ユニット２２は、ＢＤユニット２の物理アドレス（１．０．０．０）を読み込む（ステップＳ２０３）。次に、ＣＥＣ制御ユニット２２は、メモリ２１から、候補となる論理アドレスを一つ読み込み（ステップＳ２０３）、論理アドレスの取得動作を行う（ステップＳ２０４）。
【００４９】
ＣＥＣ制御ユニット２２は、論理アドレスを取得すると、取得した論理アドレスおよび物理アドレスをＣＥＣコマンドでブロードキャスト送信する（ステップＳ２０５）。
【００５０】
次に、ＢＤユニット２のＣＥＣ制御ユニット２２が通信用の論理アドレスを取得したかどうかを確認する方法について説明する。
【００５１】
（第１の確認方法）
この第１の確認方法では、ＢＤユニット２のＣＥＣ制御ユニット２２は、論理アドレスを取得すると、論理アドレス取得完了を示すコマンドをＴＶユニット３のＣＥＣ制御ユニット３５へ送信する。この論理アドレス取得完了を示すコマンドは、<Osdname>コマンドを使用しても良いし、ベンダーコマンドを使用してもよい。
【００５２】
ＣＥＣ制御ユニット３５は、ＣＥＣ制御ユニット２２からの論理アドレス取得完了を示すコマンドを受信するとシステム制御ユニット３７へ通知する。システム制御ユニット３７は、ＣＥＣ制御ユニット３５からの通知に基づいて、図３（ａ）のステップＳ１０３の確認を実施する。
【００５３】
（第２の確認方法）
この第２の確認方法では、ＢＤユニット２が取得可能な論理アドレスが、ＢＤユニット２以外のソース機器（この実施形態では、外部ソース機器４〜６）により取得されているかどうかに基づいて、ＢＤユニット２が論理アドレスを取得していないことを確認する。
【００５４】
この第２の確認方法では、ＢＤユニット２の物理アドレス（１，０，０，０）およびＢＤユニット２が取得可能な論理アドレス「４」、「８」、「１１」をメモリ３５に予め記憶させておく。各外部ソース機器４〜６は、論理アドレスの取得動作を行い、論理アドレスを取得すると、取得した論理アドレスおよび物理アドレスをＣＥＣコマンドにより送信する。
【００５５】
ＴＶユニット３のＣＥＣ制御ユニット３５は、各外部ソース機器４〜６から送信されるＣＥＣコマンドをシステム制御ユニット３７へ通知する。システム制御ユニット３７は、通知されたＣＥＣコマンドに含まれる論理アドレスおよび物理アドレスに基づいて、図３（ａ）のステップＳ１０３の確認を実施する。
【００５６】
（第３の確認方法）
この第３の確認方法では、ソース機器が論理アドレスを取得した際に、ソース機器から送信されるＣＥＣコマンドに含まれる物理アドレスに基づいて、ＢＤユニット２が論理アドレスを取得しているかどうかを確認する。
【００５７】
この第３の確認方法では、ＢＤユニット２の物理アドレス（１．０．０．０）をメモリ３６に予め記憶しておく。ＴＶユニット３のＣＥＣ制御ユニット３５は、ＢＤユニット２および各外部ソース機器４〜６から送信されるＣＥＣコマンドをシステム制御ユニット３７へ通知する。システム制御ユニット３７は、通知されたＣＥＣコマンドに含まれる物理アドレスが、メモリ３６に記憶されている物理アドレスと一致するかどうかに基づいて、図３（ａ）のステップＳ１０３の確認を実施する。
【００５８】
（第２の動作例）
次に、図４を参照して、この実施形態のＢＤプレーヤ内蔵ＴＶの第２の動作例を説明する。図４（ａ）は、ＴＶユニット３側の動作を、図４（ｂ）は、ＢＤユニット２側の動作をそれぞれ示している。なお、図４（ａ）のステップＳ３０３の確認動作については、上述した第１から第３の確認方法と同じであるため重複した説明を省略する。
【００５９】
（ＴＶユニット３側の動作）
初めに、図４（ａ）を参照して、ＴＶユニット３側の動作について説明する。
ＴＶ筐体１から引き出されたＡＣコンセントが差し込まれ、電源ユニット１０にＡＣ１００Ｖ（一次電源）が供給されると、電源ユニット１０からＴＶユニット３へ駆動用の電力が供給される（ステップＳ３０１）。
【００６０】
システム制御ユニット３７は、ＨＤＭＩ信号線１５内のＨＰＤ信号がde-assertからAssertedに変化、つまりＨＤＭＩレシーバ３１におけるＢＤユニット２の接続状態がAssertedに変化すると、内蔵するタイマを起動して一定時間（例えば一分間）をカウントする（ステップＳ３０２）。
【００６１】
システム制御ユニット３７は、一定時間が経過すると（ステップＳ３０２のＹｅｓ）、ＢＤユニット２のＣＥＣ制御ユニット２２が通信用の論理アドレスを取得したかどうかを確認する（ステップＳ３０３）。ＢＤユニット２のＣＥＣ制御ユニット２２が通信用の論理アドレスを取得していない場合（ステップＳ３０３のＮｏ）、システム制御ユニット３７は、ＨＤＭＩレシーバ３２〜３４の少なくとも一つに対して、ＨＰＤ信号を一旦Asserted（アクティブな状態）からde-assert（停止状態）とし、一定時間経過後に、de-assert（停止状態）からAsserted（アクティブな状態）とするように指示する。
【００６２】
ＨＤＭＩレシーバ３２〜３４は、システム制御ユニット３７からの指示に基づいて、ＨＰＤ信号を一旦Asserted（アクティブな状態）からde-assert（停止状態）とし、一定時間経過後に、de-assert（停止状態）からAsserted（アクティブな状態）とする（ステップＳ３０４）。
【００６３】
（ＢＤユニット２側の動作）
次に、図４（ｂ）を参照して、ＢＤユニット２側の動作について説明する。
ＴＶ筐体１から引き出されたＡＣコンセントが差し込まれ、電源ユニット１０にＡＣ１００Ｖ（一次電源）が供給されると、電源ユニット１０からＢＤユニット２へ駆動用の電力が供給される（ステップＳ４０１）。
【００６４】
ＣＥＣ制御ユニット２２は、電源が供給されると、ＴＶユニット３のＨＤＭＩレシーバ３１からＨＤＭＩ信号線を介して入力されるＨＰＤ信号がAsserted（アクティブな状態）になるのを待機する（ステップＳ４０２）。
【００６５】
ＣＥＣ制御ユニット２２は、ＨＰＤ信号がde-assert（停止状態）からAsserted（アクティブな状態）へ変化すると（ステップＳ４０２のＹｅｓ）、通信用の論理アドレスを取得する動作を開始する。具体的には、ＣＥＣ制御ユニット２２は、ＢＤユニット２の物理アドレス（１．０．０．０）を読み込む（ステップＳ４０３）。次に、ＣＥＣ制御ユニット２２は、メモリ２１から、候補となる論理アドレスを一つ読み込み（ステップＳ４０３）、論理アドレスの取得動作を行う（ステップＳ４０４）。
【００６６】
ＣＥＣ制御ユニット２２は、論理アドレスを取得すると、取得した論理アドレスおよび物理アドレスをＣＥＣコマンドでブロードキャスト送信する（ステップＳ４０５）。
【００６７】
以上のように、この実施形態の第１の動作では、ＴＶ筺体に内蔵されたＢＤユニット２が論理アドレスを取得できなかった際に、その旨をディスプレイ４０に表示してユーザに通知する。この表示によりユーザは、ＴＶ筺体に内蔵されたＢＤユニット２が論理アドレスを取得できなかったことを認識できるため、ＢＤユニット２が論理アドレスを取得する機会を与えることできる。なお、ＢＤユニット２が論理アドレスを取得できなかった旨をディスプレイ４０に表示する代わりに、スピーカ４１から音声でユーザに通知するようにしてもよい。
【００６８】
また、この実施形態の第２の動作では、ＴＶ筺体に内蔵されたＢＤユニット２が論理アドレスを取得できなかった際に、外部ソース機器４〜６の少なくとも一つのＨＰＤ信号をAssertedからde-assertへ変化させることで、ＢＤユニット２が論理アドレスを取得する機会を与えることできる。
【００６９】
また、この実施形態では、内蔵するソース機器（ＢＤユニット２）の制御に、ＨＤＭＩ−ＣＥＣ制御線とは別に設けた専用線を用いる必要がないため、内蔵するソース機器の制御と外部接続されるソース機器（ＤＶＤプレーヤ４）のＨＤＭＩ−ＣＥＣ制御とのための連携機能部品を開発する必要がなく製造コストを抑制できる。
【００７０】
なお、本願発明は、上記実施形態のみに限定されるものではなく、実施段階ではその要旨を逸脱しない範囲で構成要素を変形してもよい。例えば、第１の動作と、第２の動作とを組み合わせてもよい。この場合、ＢＤユニット２が論理アドレスを取得できなかった旨がディスプレイ４０に表示、またはスピーカ４１から出力されるとともに、外部ソース機器４〜６の少なくとも一つのＨＰＤ信号をAssertedからde-assertへ変化させることで、ＢＤユニット２が論理アドレスを取得する機会が与えられる。
【００７１】
また、各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。
さらに、ネットワークを介して接続した異なるコンピュータに構成要素を分散して記憶し、各構成要素を機能させたコンピュータ間で通信することで実現してもよい。
【符号の説明】
【００７２】
１…ＴＶ筺体、２…ＢＤユニット（内蔵ソース機器）、３…ＴＶユニット、４〜６…外部ソース機器）、７〜９…ＨＤＭIケーブル、１０…電源ユニット、１１〜１３…ＨＤＭI入力端子、１４…ＣＥＣ制御線、１５〜１８…ＨＤＭＩ信号線、２１…メモリ、２２…ＣＥＣ制御ユニット、２３…ＨＤＭIトランスミッタ、３１〜３４…ＨＤＭIレシーバ、３５…ＣＥＣ制御ユニット、３６…メモリ、３７…システム制御ユニット、３８…ＴＶチューナー、３９…映像・音声処理ユニット、４０…ディスプレイ、４１…スピーカ。
【図１】
0005458165.tif 000002
【図２】
0005458165.tif 000003
【図３】
0005458165.tif 000004
【図４】
0005458165.tif 000005